(57)【特許請求の範囲】
【請求項１】
ＷＤＭの１つの波長の帯域より大きい帯域を持つ１つのクライアント信号に対して複数の波長を割り当て、波長多重して伝送するＷＤＭネットワークのＷＤＭ装置において、
クライアント装置からクライアント信号のパスレイヤでセットアップ情報を供給されて、前記クライアント信号のパスレイヤから利用帯域を検出する利用帯域検出手段と、
検出された利用帯域とＷＤＭの波長をマッピングするマッピング手段を有し、
前記マッピング手段は、
検出された利用帯域からＷＤＭの波長数を決定する波長数決定手段と、
前記クライアント信号のパスレイヤを決定された波長数に分割する分割手段と、
分割されたパスレイヤをクロスコネクトする光スイッチ手段と、
前記光スイッチ手段でクロスコネクトされた分割されたパスレイヤそれぞれをラッピングする複数のラッピング手段と、
前記複数のラッピング手段の出力信号それぞれを異なる波長に載せて出力する複数の波長設定手段を
有することを特徴とするＷＤＭ装置。
【発明の詳細な説明】
【０００１】
【発明の属する技術分野】
本発明は、ＷＤＭ装置に関し、特に、ＷＤＭネットワークにクライアント信号を収容するＷＤＭ装置に関する。
【０００２】
【従来の技術】
従来のＷＤＭ（Ｗａｖｅｌｅｎｇｔｈ  Ｄｉｖｉｓｉｏｎ  Ｍｕｌｔｉｐｌｅｘｅｒ：波長分割多重）を用いたＳＯＮＥＴ（Ｓｙｎｃｈｒｏｎｏｕｓ  Ｏｐｔｉｃａｌ  Ｎｅｔｗｏｒｋ）やＳＤＨ（Ｓｙｎｃｈｒｏｎｏｕｓ  Ｄｉｇｉｔａｌ  Ｈｉｅｒａｒｃｈｙ）やギガビットイーサネット（ＧｂＥ）などのクライアント信号の伝送方式について説明する。クライアント信号と波長のマッピングには３つのケースがあるが、クライアント信号の回線増設時にプロビジョニングされる接続速度（帯域）に対応して波長が確保されている。
【０００３】
１つのクライアント信号に対して１つの波長を割り当てる場合には、図１に示すように、入力されたクライアント信号は信号変換部１０に供給され、そのままのフォーマット、または、デジタルラッパ或いは規格Ｇ．７０９で定義されるラッピング技術を用いたフォーマットに変換されて、ＷＤＭ回線の中でユニークとなる波長に載せる。多重分離部１２はそれらの複数の波長を多重してＷＤＭ回線１３に送信する。
【０００４】
また、多重分離部１４はＷＤＭ回線１３からの光を波長ごとに分割する。信号変換部１６は、対応する波長からの信号を送信側の信号変換部１０での変換の逆変換（そのままのフォーマット、または、デジタルラッパ或いは規格Ｇ．７０９で定義されるラッピング技術のフォーマットを取り除く）を行い、元のクライアント信号のフォーマットで送信される。
【０００５】
１つのクライアント信号の帯域が１つの波長の帯域より十分に小さい場合は、複数のクライアント信号に対して１つの波長を割り当てる。この場合には、図２に示すように、入力されたクライアント信号は信号変換部２０に供給されて時分割多重され、デジタルラッパ或いは規格Ｇ．７０９で定義されるラッピング技術を用いたフォーマットに変換されて、ＷＤＭ回線の中でユニークとなる波長に載せる。多重分離部２２はそれらの複数の波長を多重してＷＤＭ回線２３に送信する。
【０００６】
また、多重分離部２４はＷＤＭ回線２３からの光を波長ごとに分割する。信号変換部２６は、対応する波長からの信号を送信側の信号変換部２０での変換の逆変換を行い、さらに時分割多重分離して元の複数のクライアント信号のフォーマットで送信する。
【０００７】
１つのクライアント信号の帯域が１つの波長の帯域より十分に大きい場合は、１つのクライアント信号に対して複数の波長を割り当てる。この場合には、図３に示すように、入力されたクライアント信号は信号変換部３０に供給されて複数に分割され、分割された各クライアント信号はデジタルラッパ或いは規格Ｇ．７０９で定義されるラッピング技術を用いたフォーマットに変換されて、ＷＤＭ回線の中でユニークとなる複数の波長に載せる。多重分離部３２はそれらの複数の波長を多重してＷＤＭ回線３３に送信する。
【０００８】
また、多重分離部３４はＷＤＭ回線３３からの光を波長ごとに分割する。信号変換部３６は、各波長の信号について同期をとりつつ送信側の信号変換部３０での変換の逆変換を行い、１つのクライアント信号を再生して元のクライアント信号のフォーマットで送信する。
【０００９】
図４は、従来の信号変換部の一例のブロック図を示す。これは信号変換部１０，１６に対応している。同図中、ＳＯＮＥＴ／ＳＤＨのクライアント信号は信号受信部４０で受信され、ラッピング処理部４１でデジタルラッパ或いは規格Ｇ．７０９で定義されるラッピング技術を用いたフォーマットに変換され、波長設定部４２でＷＤＭ回線の中でユニークとなる波長に載せ、ＷＤＭ回線側の多重分離部１２に供給する。
【００１０】
一方、ＷＤＭ回線側の多重分離部１４で分離された波長は信号受信部４５で受信され、アンラッピング処理部４６でアンラッピング処理（ラッピング処理部４１での変換の逆変換）を行われ、ＳＯＮＥＴ／ＳＤＨ信号処理部４７でＳＯＮＥＴ／ＳＤＨのクライアント信号とされて出力される。
【００１１】
【発明が解決しようとする課題】
近年の技術革新により、クライアント信号の大容量化（４０Ｇｂｐｓ）、及びＷＤＭ回線の大容量化（波長数の増加、及び１波長当たりの大容量化）が行われているが、１波長当たりの大容量化がクライアント信号の大容量化に及ばないため、大容量の１クライアント信号に対して複数の波長を割り当ててしまい、ＷＤＭ回線に収容できるクライアント信号が少なくなってしまう。
【００１２】
具体的な例で示すと、回線容量が４０ＧｂｐｓのＳＯＮＥＴのクライアント信号（ＯＣ７６８）を図１に示す信号変換部３０に接続した場合、４０Ｇｂｐｓの全てを伝送するために、４つの１０．７Ｇｂｐｓの波長を使用する。しかし、この４０Ｇｂｐｓの回線で実際に使用されているのは、１０ＧｂｐｓのＳＯＮＥＴのパス（ＯＣ１９２ｃ）が２つである場合に、２つ分の波長帯域だけが使用され、残りの２つ分の波長は使用されていないことになる。そして、使用されていない波長は他の回線からも使用することができず、波長の有効利用ができないという問題があった。
【００１３】
本発明は、上記の点に鑑みなされたものであり、波長に対する利用帯域の占有率を最小化でき、ＷＤＭ回線の波長数を効率的に利用することができるＷＤＭ装置を提供することを目的とする。
【００１５】
【課題を解決するための手段】
請求項１に記載の発明は、クライアント装置からクライアント信号のパスレイヤでセットアップ情報を供給されて、前記クライアント信号のパスレイヤから利用帯域を検出する利用帯域検出手段と、
検出された利用帯域とＷＤＭの波長をマッピングするマッピング手段を有し、
前記マッピング手段は、
検出された利用帯域からＷＤＭの波長数を決定する波長数決定手段と、
前記クライアント信号のパスレイヤを決定された波長数に分割する分割手段と、
分割されたパスレイヤをクロスコネクトする光スイッチ手段と、
前記光スイッチ手段でクロスコネクトされた分割されたパスレイヤそれぞれをラッピングする複数のラッピング手段と、
前記複数のラッピング手段の出力信号それぞれを異なる波長に載せて出力する複数の波長設定手段を有することにより、
検出された利用帯域とＷＤＭの波長をマッピングすることができる。
【００１７】
【発明の実施の形態】
本発明においては、従来の手法でＴＬ−１（Ｔｒａｎｓａｃｔｉｏｎａｌ  Ｌｌａｎｇｕａｇｅ  １）などでプロビジョニングされるクライアント信号と波長のマッピングを、クライアント信号の回線帯域によるものでなく、利用帯域つまり実際にプロビジョニングされ使用されているＳＯＮＥＴ／ＳＤＨでのパスレイヤの帯域とＷＤＭの波長をマッピングさせる。
【００１８】
図５は、本発明のＷＤＭ装置の信号変換部の一実施例のブロック図を示す。同図中、ＳＯＮＥＴ／ＳＤＨのクライアント信号は信号変換部５０の信号受信部５１で受信され、パスレイヤ抽出部５２でＳＯＮＥＴ／ＳＤＨのパスレイヤが抽出される。このクライアント信号のパスレイヤは信号分割部５３に供給される。
【００１９】
信号分割部５３では、クライアント信号のＳＯＨから利用帯域を計算して波長数を決定し、クライアント信号のパスレイヤを上記波長数に分割する。分割されたパスレイヤそれぞれは光スイッチ５４でスイッチングされてラッピング処理部５５ａ〜５５ｘにクロスコネクトされる。ラッピング処理部５５ａ〜５５ｘそれぞれは、分割されたパスレイヤをデジタルラッパ或いは規格Ｇ．７０９で定義されるラッピング技術を用いたフォーマットに変換し、ラッピングされた信号は波長設定部５６ａ〜５６ｘにてＷＤＭ回線の中でユニークとなる波長に載せられて出力され、後続の多重分離部で波長多重されてＷＤＭ回線に送出される。
【００２０】
一方、ＷＤＭ回線側の多重分離部で分離された各波長は波長設定部６０ａ〜６０ｘで互いに同一の所定波長とされ、アンラッピング処理部６１ａ〜６１ｘでアンラッピング処理（ラッピング処理部４１での変換の逆変換）を行われて分割されたパスレイヤとされ、光スイッチ６２でクロスコネクトされて同期合成部６３に供給される。
【００２１】
同期合成部６３では各パスレイヤの同期をとりつつ合成を行って１つのクライアント信号を再生する。このクライアント信号はＳＯＮＥＴ／ＳＤＨ信号処理部６４でＳＯＮＥＴ／ＳＤＨのクライアント信号とされて出力される。
【００２２】
また、クライアント信号のパスレイヤまでのプロビジョニングを保守者へ求めた場合、大量にプロビジョニングが増えるため、クライアント信号上のオーバーヘッドを用いたクライアント装置との通信、及びＷＤＭ回線のＯＳＣ（Ｏｐｔｉｃａｌ  Ｓｕｐｅｒｖｉｓｏｒｙ  Ｃｈａｎｎｅｌ）を用いた対向ＷＤＭ装置との通信を行い、要求に応じて波長が確保されるようにＧＭＰＬＳ（Ｇｅｎｅｒａｌｉｚｅｄ  Ｍｕｌｔｉｐｒｏｔｏｃｏｌ  Ｌａｂｅｌ  Ｓｗｉｔｃｈｉｎｇ）を使用する。
【００２３】
図６は、本発明を用いたＷＤＭシステムの一実施例のシステム構成図を示す。同図中、ＷＤＭ装置７０，７２は、ＷＤＭ回線７１に対して、固定帯域の信号を波長に載せて送受信することができる。
【００２４】
このＷＤＭ装置７０，７２は、稼働開始時点で、図７（Ａ）に示す１つの装置識別子、ＷＤＭ回線識別子、その装置識別子毎に波長にのせる固定帯域、制御できる波長及び波長数、及び波長毎に使用しているかどうかを示すためのフラグ（初期値は未使用）が設定される。
【００２５】
このＷＤＭ装置７０，７２それぞれには、クライアント信号としてＯＣ７６８（４０Ｇｂｐｓ）等のＳＯＮＥＴ回線７３，７５が接続されてＳＯＮＥＴ装置７４，７６に接続され、ＴＬ−１コマンドによって、その設備情報に関するプロビジョニングが実施される。
【００２６】
このプロビジョニングによりＷＤＭ装置７０，７２には、図７（Ｂ）に示す回線識別子、及びその回線帯域が設定され、また、設備情報を登録した管理装置から、この回線をいくつの波長に分割することができるかを示すデータと、分割波長の使用中フラグ（初期値は未使用）を設定される。
【００２７】
このときＷＤＭ装置７０，７２は、図８、図９に示すように、セクション／ラインレイヤまでのＩ／Ｏ設定を行う。ただし、本発明では、この時点でのＷＤＭ回線の波長へのプロビジョニングを実施しない。
【００２８】
ここで、データクライアント装置であるＳＯＮＥＴ装置７４から波長としてマッピングできる２．４Ｇｂｐｓ以上のパスを、ＷＤＭ装置７０にプロビジョニングするものとする。
【００２９】
ＳＯＮＥＴ装置７４からはＳＯＮＥＴのＳＯＨ（Ｓｅｃｔｉｏｎ  ＯｖｅｒＨｅａｄ）にあるＤＣＣ（Ｄａｔａ  Ｃｏｍｍｕｎｉｃａｔｉｏｎ  Ｃｈａｎｎｅｌ）を用いて、ＷＤＭ装置７０にパスレイヤのセットアップ情報を通知する。このときの通知内容としては、宛先装置識別子（ここではＳＯＮＥＴ装置７６）、タイムスロット番号、利用帯域である。装置識別子は装置ごとに付与され、パスレイヤの一方の終端をソース装置識別子、他方の終端を宛先装置識別子で区別する。なお、タイムスロット番号はＳＯＮＥＴ／ＳＤＨで使われる用語である。利用帯域で指定できる値は、この場合、０〜４０Ｇｂｐｓである。
【００３０】
ＷＤＭ装置７０ではＳＯＮＥＴ装置７４から受信したパスレイヤのセットアップ情報をもとにＷＤＭ回線７１への波長設定処理を開始する。
【００３１】
図１０は、ＷＤＭ装置７０，７２が実行する波長設定処理の一実施例のフローチャートを示す。図１０において、ＷＤＭ装置７０はステップＳ１で、ＳＯＨのＤＣＣを用いたパスレイヤのセットアップ情報、または、ＳＯＨのラインオーバーヘッドのＨ１／Ｈ２バイトから利用帯域を計算する。この様子を図１１に示す。そして、利用帯域とＷＤＭ回線７１の波長帯域（ここでは１０．７ＧＢ）を比較し、利用帯域が波長帯域のＮ倍より小さくなるような値Ｎを計算する。この値Ｎは設定が必要となる波長数である。
【００３２】
例えば、利用帯域が０〜１０Ｇｂｐｓの場合は「１」、利用帯域が１０〜２０Ｇｂｐｓの場合は「２」、利用帯域が２０〜３０Ｇｂｐｓの場合は「３」、利用帯域が３０〜４０Ｇｂｐｓの場合は「４」として波長数を決定する。この様子を図１２に示す。
【００３３】
ＷＤＭ装置７０はステップＳ２で、波長数がＷＤＭ回線で持つ波長数より越えていなければ、未使用の波長を検索し、候補をリストアップする。リストアップする数は、対向装置（ここではＷＤＭ装置７２）での波長使用中を考慮し、Ｎよりも大きい値をとるものとする。
【００３４】
ＷＤＭ装置７０はステップＳ３で、宛先装置識別子より、ＷＤＭ回線７１内の対向装置（ここではＷＤＭ装置７２）との保守管理用のＯＳＣ（オプティカル・スーパーバイジング・チャネル）を経由しての通信を試み、ＷＤＭ装置７０からＷＤＭ装置７２に、宛先装置識別子、タイムスロット番号、ＷＤＭ装置７０の装置識別子＋クライアント回線識別子、利用可能波長リスト、要求波長数を送信する。この様子を図１３に示す。クライアント回線識別子はパスレイヤに分割前のクライアントの回線識別子である。利用可能波長は、ＷＤＭ回線のソース装置（ここでは、ＷＤＭ装置７０）が波長設定可能な現在空きの波長リストの候補を、ＷＤＭ装置７２，ＳＯＮＥＴ装置７６と後段に行くに従って絞り込み、最終的に１つに決定する波長である。
【００３５】
ステップＳ４で、ＷＤＭ装置７２では、宛先装置識別子からＳＯＮＥＴ装置７６とつながる回線があることをチェックする。この様子を図１４に示す。
【００３６】
次に、ＷＤＭ装置７２はステップＳ５で、利用可能波長リストからＷＤＭ装置７２で未使用となっている波長を要求波長数分選択する。この様子を図１５に示す。そして、ＷＤＭ装置７２はＯＳＣを用いてＷＤＭ装置７０にコネクト情報を送信する。この様子を図１６に示す。
【００３７】
ＷＤＭ装置７２はステップＳ６で、選択された波長を使用中とし、波長設定のＩ／Ｏ設定がされ、光スイッチ５４を使用してクライアント信号とＷＤＭ回線をクロスコネクトする。
【００３８】
ＷＤＭ装置７２はステップＳ７で、ＳＯＮＥＴ装置７６との間のＳＯＮＥＴ回線７５において、既に設定された帯域と上記ステップＳ１〜Ｓ６で設定された帯域の合計が回線帯域に満たない場合は、受信していない空きタイムスロットは未使用としてパディング（所定パターンのデータを挿入）を行い、回線帯域と同じになるように設定を行う。上記ステップＳ６，Ｓ７の様子を図１７に示す。
【００３９】
ＷＤＭ装置７２はステップＳ８で、設定結果をＷＤＭネットワークのＯＳＣを経由してＷＤＭ装置７０に通信を行い、ＷＤＭ装置７２の装置識別子＋クライアント回線識別子、設定波長リストを送信する。
【００４０】
ＷＤＭ装置７０ではステップＳ９で、設定波長リストをもとに波長を使用中にし、波長設定のＩ／Ｏ設定を行う。また、クライアント信号とＷＤＭ回線もクロスコネクトされる。
【００４１】
ＷＤＭ装置７０はステップＳ１０で、設定結果をＳＯＮＥＴ装置７４にＤＣＣを経由して送信する。
【００４２】
これによって、図１８に示すように、従来ではＷＤＭ回線７１に１０Ｇｂｐｓの４つの波長を使用して通信を行っていたケースが、本発明では１０Ｇｂｐｓ（ＳＴＳ−１９２ｃ）分の１つの波長だけで通信を行うことができる。したがって、波長に対する利用帯域の占有率を最適化（最小化）でき、ＷＤＭ回線の波長数を効率的に利用することができる。その結果、ＷＤＭ回線の使用料金も低減することができる。
【００４３】
ところで、ＳＯＨのラインオーバーヘッドのＨ１／Ｈ２バイトから利用帯域を計算する方法について詳細に説明する。図１９は、ＳＯＮＥＴの同期転送モジュールＳＴＳ−１９２ｃ（ＯＣ−１９２）におけるＳＯＨのフレームフォーマットを示す。この中のＨ１／Ｈ２バイト（ＳＴＳ  Ｐａｙｌｏａｄ  Ｐｏｉｎｔｅｒ）はＳＴＳパスオーバーヘッドがある位置を示すためのものであり、ペイロード中に含むことができる同期転送モジュールＳＴＳ−１パス分だけ（この場合は１９２個）のペアが存在する。また、Ｈ１／Ｈ２バイトのビット中の意味は、Ｈ１バイトの１ビット目から４ビット目の４ビットは、ＮＤＦ（Ｎｅｗ  Ｄａｔａ  Ｆｌａｇ）であり、Ｈ１バイトの５ビット目から６ビット目の２ビットは、通常”００”（Ｕｎｄｅｆｉｎｅｄ）であり、Ｈ１バイトの７ビット目からＨ２の全てのビットの１０ビットは、ポインタ値である。
【００４４】
ＮＤＦでは通常状態では”０１１０”であるが、ポインタの値に変更があった場合は”１００１”と反転し、ＳＴＳ−１単位に表示される。ＳＴＳ−１９２ｃなどの連続したペイロードでは１つ目のＳＴＳ−１にあたるＨ１／Ｈ２バイトでは通常の意味を表すが、それ以降のＳＴＳ−１に対応するＨ１／Ｈ２バイトでは、”１００１ＸＸ１１  １１１１１１１１”とポインタ値が全て”１”となり特別な意味をあわしている。
【００４５】
したがって、正常処理をしているＨ１／Ｈ２バイトの数と、ＳＴＳ−１９２ｃなどの連続したことを示すＨ１／Ｈ２バイトの数の和を取ることにより、ＳＴＳ−１相当の数がわかる。そしてＳＴＳ−１の帯域（５２Ｍｂｐｓ）をかけることにより、実際に使用している帯域を計算することができる。
【００４６】
なお、パスレイヤ抽出部５２が請求項記載の利用帯域検出手段に対応し、信号分割部５３，光スイッチ５４，ラッピング処理部５５ａ〜５５ｘ，波長設定部５６ａ〜５６ｘがマッピング手段に対応し、信号分割部５３が波長数決定手段に対応し、信号分割部５３が分割手段に対応し、光スイッチ５４が光スイッチ手段に対応し、ラッピング処理部５５ａ〜５５ｘがラッピング手段に対応し、波長設定部５６ａ〜５６ｘが波長設定部に対応し、波長設定部６０ａ〜６０ｘ，アンラッピング処理部６１ａ〜６１ｘ，同期合成部６３が信号復元手段に対応し、同期合成部６３がパディング手段に対応する。
【００４７】
（付記１）  ＷＤＭの１つの波長の帯域より大きい帯域を持つ１つのクライアント信号に対して複数の波長を割り当て、波長多重して伝送するＷＤＭネットワークのＷＤＭ装置において、
クライアント装置からクライアント信号のパスレイヤでセットアップ情報を供給されて、前記クライアント信号のパスレイヤから利用帯域を検出する利用帯域検出手段と、
検出された利用帯域とＷＤＭの波長をマッピングするマッピング手段を
有することを特徴とするＷＤＭ装置。
【００４８】
（付記２）  ＷＤＭの１つの波長の帯域より大きい帯域を持つ１つのクライアント信号に対して複数の波長を割り当て、波長多重して伝送するＷＤＭネットワークのクライアント装置において、
クライアント信号のパスレイヤのセットアップ情報をＷＤＭ装置に供給して前記ＷＤＭ装置のセットアップを指示することを特徴とするクライアント装置。
【００４９】
（付記３）  ＷＤＭの１つの波長の帯域より大きい帯域を持つ１つのクライアント信号に対して複数の波長を割り当て、波長多重して伝送するＷＤＭネットワークにおいて、
クライアント装置からクライアント信号のパスレイヤでセットアップ情報をＷＤＭ装置に供給し、
ＷＤＭ装置で、前記クライアント信号のパスレイヤから利用帯域を検出し、検出された利用帯域とＷＤＭの波長をマッピングすることを特徴とするＷＤＭネットワーク。
【００５０】
（付記４）  付記１記載のＷＤＭ装置において、
前記マッピング手段は、
検出された利用帯域からＷＤＭの波長数を決定する波長数決定手段と、
前記クライアント信号のパスレイヤを決定された波長数に分割する分割手段と、
分割されたパスレイヤをクロスコネクトする光スイッチ手段と、
前記光スイッチ手段でクロスコネクトされた分割されたパスレイヤそれぞれをラッピングする複数のラッピング手段と、
前記複数のラッピング手段の出力信号それぞれを異なる波長に載せて出力する複数の波長設定手段を
有することを特徴とするＷＤＭ装置。
【００５１】
（付記５）  ＷＤＭの１つの波長の帯域より大きい帯域を持つ１つのクライアント信号に対して複数の波長を割り当て、波長多重して伝送するＷＤＭネットワークのＷＤＭ装置において、
受信した波長多重信号から分離した複数の波長の同期を取り元のクライアント信号のパスレイヤに復元する信号復元手段を
有することを特徴とするＷＤＭ装置。
【００５２】
（付記６）  付記５記載のＷＤＭ装置において、
受信した波長多重信号のうち受信していない空きタイムスロットは未使用としてパディングを行うパディング手段を
有することを特徴とするＷＤＭ装置。
【００５４】
【発明の効果】
上述の如く、請求項１に記載の発明は、クライアント装置からクライアント信号のパスレイヤでセットアップ情報を供給されて、前記クライアント信号のパスレイヤから利用帯域を検出する利用帯域検出手段と、検出された利用帯域とＷＤＭの波長をマッピングするマッピング手段を有し、前記マッピング手段は、検出された利用帯域からＷＤＭの波長数を決定する波長数決定手段と、クライアント信号のパスレイヤを決定された波長数に分割する分割手段と、分割されたパスレイヤをクロスコネクトする光スイッチ手段と、光スイッチ手段でクロスコネクトされた分割されたパスレイヤそれぞれをラッピングする複数のラッピング手段と、複数のラッピング手段の出力信号それぞれを異なる波長に載せて出力する複数の波長設定手段を有することにより、検出された利用帯域とＷＤＭの波長をマッピングすることができる。
【図面の簡単な説明】
【図１】１つのクライアント信号に対して１つの波長を割り当てるＷＤＭシステムの一例のシステム構成図である。
【図２】複数のクライアント信号に対して１つの波長を割り当てるＷＤＭシステムの一例のシステム構成図である。
【図３】１つのクライアント信号に対して複数の波長を割り当てるＷＤＭシステムの一例のシステム構成図である。
【図４】従来の信号変換部の一例のブロック図である。
【図５】本発明のＷＤＭ装置の信号変換部の一実施例のブロック図である。
【図６】本発明を用いたＷＤＭシステムの一実施例のシステム構成図である。
【図７】ＷＤＭ装置の設定情報を示す図である。
【図８】ＷＤＭ装置のプロビジョニング動作を説明するための図である。
【図９】ＷＤＭ装置のプロビジョニング動作を説明するための図である。
【図１０】ＷＤＭ装置が実行する波長設定処理の一実施例のフローチャートである。
【図１１】ＷＤＭ装置のプロビジョニング動作を説明するための図である。
【図１２】ＷＤＭ装置のプロビジョニング動作を説明するための図である。
【図１３】ＷＤＭ装置のプロビジョニング動作を説明するための図である。
【図１４】ＷＤＭ装置のプロビジョニング動作を説明するための図である。
【図１５】ＷＤＭ装置のプロビジョニング動作を説明するための図である。
【図１６】ＷＤＭ装置のプロビジョニング動作を説明するための図である。
【図１７】ＷＤＭ装置のプロビジョニング動作を説明するための図である。
【図１８】ＷＤＭ装置のプロビジョニング動作を説明するための図である。
【図１９】ＳＯＮＥＴのフレームフォーマットの一例を示す図である。
【符号の説明】
５０  信号変換部
５１  信号受信部
５２  パスレイヤ抽出部
５３  信号分割部
５４，６２  光スイッチ
５５ａ〜５５ｘ  ラッピング処理部
５６ａ〜５６ｘ，６０ａ〜６０ｘ  波長設定部
６１ａ〜６１ｘ  アンラッピング処理部
６３  同期合成部
６４  ＳＯＮＥＴ／ＳＤＨ信号処理部
７０，７２  ＷＤＭ装置
７１  ＷＤＭ回線
７３，７５  ＳＯＮＥＴ回線
７４，７６  ＳＯＮＥＴ装置
【図１】
0003734762.tif 000002
【図２】
0003734762.tif 000003
【図３】
0003734762.tif 000004
【図４】
0003734762.tif 000005
【図５】
0003734762.tif 000006
【図６】
0003734762.tif 000007
【図７】
0003734762.tif 000008
【図８】
0003734762.tif 000009
【図９】
0003734762.tif 000010
【図１０】
0003734762.tif 000011
【図１１】
0003734762.tif 000012
【図１２】
0003734762.tif 000013
【図１３】
0003734762.tif 000014
【図１４】
0003734762.tif 000015
【図１５】
0003734762.tif 000016
【図１６】
0003734762.tif 000017
【図１７】
0003734762.tif 000018
【図１８】
0003734762.tif 000019
【図１９】
0003734762.tif 000020